(57)【要約】【課題】洗浄液を容器内部へ浸入させることなくユーザなどの肌に触れる部分の洗浄が可能な化粧品用チューブ容器を提供する。【解決手段】化粧品用チューブ容器１は、内部空間５１、７３が区画された収容部５を有し、収容部５の軸方向１０１、１０２の一端部７に、内部空間５１、７３と連通する開口７５が形成された容器本体２と、一端部７に支持されるヘッド３と、容器本体２に対して着脱自在であり、容器本体２に装着された状態においてヘッド３が一端部７に支持された状態を保持する保持部材８と、を備える。ヘッド３は、軸方向１０１、１０２に沿っており且つ一端部７に支持された状態において内部空間５１、７３と連通する貫通孔３５を有する。【選択図】図４
2017000401.tif 000002
【特許請求の範囲】
【請求項１】
内部に収容室が区画された収容部を有し、当該収容部の長手方向の一端部に、当該収容室と連通する開口が形成された容器本体と、
上記一端部に支持されるヘッドと、
上記容器本体に対して着脱自在であり、上記容器本体に装着された状態において上記ヘッドが上記一端部に支持された状態を保持する保持部材と、を備え、
上記ヘッドは、上記長手方向に沿っており且つ上記一端部に支持された状態において上記収容室と連通する貫通孔を有する化粧品用チューブ容器。
【請求項２】
上記一端部は、上記長手方向に沿う法線により規定される支持面を有し、
上記ヘッドは、上記支持面に担持されており、
上記保持部材は、上記一端部に螺合されており、
上記ヘッドは、上記支持面と上記保持部材とによって挟持される請求項１に記載の化粧品用チューブ容器。
【請求項３】
上記ヘッドは、フランジ部を有しており、
上記フランジ部は、上記支持面と上記保持部材とによって挟持される請求項２に記載の化粧品用チューブ容器。
【請求項４】
上記ヘッドの外面に凹凸が形成されている請求項１から３のいずれかに記載の化粧品用チューブ容器。
【請求項５】
上記ヘッドは、多孔質構造を有する請求項１から４のいずれかに記載の化粧品用チューブ容器。
【請求項６】
上記ヘッドの外面は、平滑面である請求項１から３のいずれかに記載の化粧品用チューブ容器。
【請求項７】
上記ヘッドは、樹脂である請求項１から６のいずれかに記載の化粧品用チューブ容器。
【請求項８】
上記ヘッドは、軽石である請求項５に記載の化粧品用チューブ容器。
【請求項９】
上記一端部は、上記長手方向に突設され、上記開口が形成された突出部を有しており、
上記突出部は、上記ヘッドが上記一端部に支持された状態において、上記貫通孔に挿入されている請求項１から８のいずれかに記載の化粧品用チューブ容器。
【請求項１０】
上記ヘッド及び上記保持部材を覆うように上記容器本体に対して着脱可能なカバーを更に備える請求項１から１０のいずれかに記載の化粧品用チューブ容器。
【請求項１１】
上記カバーは、上記容器本体に装着された状態において、上記貫通孔に挿入される凸部を備える請求項１１に記載の化粧品用チューブ容器。
【発明の詳細な説明】
【技術分野】
【０００１】
本発明は、液状またはゲル状の化粧品が収容される化粧品用チューブ容器に関する。
【背景技術】
【０００２】
液状またはゲル糊状の化粧品は、一般に軟質のチューブ容器に収容される。化粧品が収容されるチューブ容器は、特許文献１の図６に開示されているように、スポンジヘッドを備えたキャップがチューブ本体に一体に取り付けられた構造を有するものがある。すなわち、チューブ本体にキャップが一体的に設けられている。チューブ容器が両側から挟み込まれることによって、チューブ容器内の化粧品がキャップから絞り出されてスポンジヘッドから染み出す。スポンジヘッドがユーザの肌に触れることによって、化粧品がユーザの肌に付着する。
【先行技術文献】
【特許文献】
【０００３】
【特許文献１】特開２００８−８００８６号公報
【発明の概要】
【発明が解決しようとする課題】
【０００４】
ところで、化粧品の付加価値の向上のため、化粧品用のチューブ容器の外観はデザイン的に優れたものでなければならず、そのために、チューブ容器の多くは、専用設計がなされており、前述のようにチューブ本体及びキャップは、特別の形状で一体的に形成される。
【０００５】
前述のように、スポンジヘッドは、ユーザの肌に直接触れるものであるため、スポンジヘッドを洗浄したいという要請がある。しかしながら、従来のキャップでは、見栄え重視の設計であるため、スポンジヘッドはチューブ本体に一体に取り付けられている。したがって、スポンジヘッドを洗浄しようとすれば、洗浄液がスポンジヘッドを介してチューブ本体に浸入してしまうおそれがあり、事実上、洗浄は困難であった。
【０００６】
この発明は、かかる背景のもとになされたものであって、その目的は、洗浄液を容器内部へ浸入させることなくユーザなどの肌に触れる部分の洗浄が可能な化粧品用チューブ容器を提供することである。
【課題を解決するための手段】
【０００７】
(1) 本発明に係る化粧品用チューブ容器は、内部に収容室が区画された収容部を有し、当該収容部の長手方向の一端部に、当該収容室と連通する開口が形成された容器本体と、上記一端部に支持されるヘッドと、上記容器本体に対して着脱自在であり、上記容器本体に装着された状態において上記ヘッドが上記一端部に支持された状態を保持する保持部材と、を備える。上記ヘッドは、上記長手方向に沿っており且つ上記一端部に支持された状態において上記収容室と連通する貫通孔を有する。
【０００８】
本構成によれば、収容室に収容された化粧品は、開口及び貫通孔を通じて吐出される。このとき、ヘッドがユーザなどの肌に沿って移動されることによって、吐出された化粧品がヘッドの外面に拡がりつつ、当該外面から肌に付着される。これにより、ヘッドの少しの移動のみによって、化粧品を広範囲に肌に付着させることができる。
【０００９】
本構成によれば、保持部材が容器本体から取り外されることにより、一端部に支持されたヘッドを一端部から取り外すことができる。これにより、ヘッドを単体で洗浄することができる。その結果、容器本体の収容室への洗浄液の浸入を防止することができる。
【００１０】
(2) 上記一端部は、上記長手方向に沿う法線により規定される支持面を有する。上記ヘッドは、上記支持面に担持されている。上記保持部材は、上記一端部に螺合されている。上記ヘッドは、上記支持面と上記保持部材とによって挟持される。
【００１１】
本構成によれば、ヘッドが支持面と保持部材とによって挟持されることにより、保持部材は、ヘッドが一端部に支持された状態を保持することができる。
【００１２】
(3) 上記ヘッドは、フランジ部を有している。上記フランジ部は、上記支持面と上記保持部材とによって挟持される。
【００１３】
本構成によれば、保持部材は、フランジ部が支持面と保持部材とによって挟持されることによって、ヘッドが一端部に支持された状態を保持することができる。
【００１４】
(4) 上記ヘッドの外面に凹凸が形成されている。
【００１５】
本構成によれば、ヘッドをユーザなどの肌に沿って移動させる際に、凹凸によって角質を削り取ることができる。
【００１６】
(5) 上記ヘッドは、多孔質構造を有していてもよい。
【００１７】
(6) 上記ヘッドの外面は、平滑面である。
【００１８】
本構成によれば、吐出された化粧品が平滑面に沿って移動し易い。これにより、化粧品がヘッドの外面の全域に行き渡り易い。その結果、化粧品をヘッドの外面の広範囲に亘って付着させることができる。
【００１９】
(7) 上記ヘッドは、樹脂であってもよい。
【００２０】
(8) 上記ヘッドは、軽石である。
【００２１】
軽石は、表面に凹凸が形成されており且つ固い。そのため、ヘッドをユーザなどの肌に沿って移動させる際に、角質を容易に削り取ることができる。
【００２２】
(9) 上記一端部は、上記長手方向に突設され、上記開口が形成された突出部を有している。上記突出部は、上記ヘッドが上記一端部に支持された状態において、上記貫通孔に挿入されている。
【００２３】
本構成によれば、開口が形成された突出部が貫通孔に挿入されている。そのため、収容室に収容された化粧品は、ヘッドの外面に容易に吐出可能である。
【００２４】
(10) 本発明に係る化粧品用チューブ容器は、上記ヘッド及び上記保持部材を覆うように上記容器本体に対して着脱可能なカバーを更に備える。
【００２５】
本構成によれば、カバーを容器本体に装着することにより、化粧品が付着したヘッドの外部との接触を防止することができる。
【００２６】
(11) 上記カバーは、上記容器本体に装着された状態において、上記貫通孔に挿入される凸部を備える。
【００２７】
本構成によれば、カバーを容器本体に装着するに際して、凸部を貫通孔に挿入させることにより、カバーが容器本体に対してずれることなくカバーを容器本体に円滑に装着することができる。また、収容室に収容された化粧品が貫通孔を介して漏れ出ることを防止することができる。
【発明の効果】
【００２８】
この発明に係る化粧品用チューブ容器によれば、洗浄液を容器内部へ浸入させることなくユーザの肌に触れる部分の洗浄が可能である。
【図面の簡単な説明】
【００２９】
【図１】図１は、化粧品用チューブ容器１の外観斜視図である。
【図２】図２は、化粧品用チューブ容器１の外観斜視図である。
【図３】図３は、化粧品用チューブ容器１の縦断面図である。
【図４】図４は、化粧品用チューブ容器１の縦断面図である。
【図５】図５は、変形例におけるヘッド３の外観斜視図である。
【図６】図６は、収容部５の軸方向１０２の端が熱溶着された状態の容器本体２の外観斜視図である。
【発明を実施するための形態】
【００３０】
以下、本発明の好ましい実施形態が、適宜図面が参照されながら説明される。なお、本実施の形態は、本発明に係る化粧品用チューブ容器の一態様にすぎず、本発明の要旨を変更しない範囲で実施態様が変更されてもよいことは言うまでもない。
【００３１】
［化粧品用チューブ容器の概要］
【００３２】
図１〜図４に示されるように、化粧品用チューブ容器１は、容器本体２、ヘッド３、保持部材８、及びカバー４を備えている。
【００３３】
容器本体２には、液状またはゲル状の化粧品が収容可能である。容器本体２は、収容部５を備えている。ヘッド３は、収容部５の一端部７によって支持可能である。保持部材８は、一端部７に対して着脱自在である。保持部材８は、一端部７に装着された状態において、ヘッド３が一端部７によって支持された状態を保持する。カバー４は、一端部７に対して着脱自在である。カバー７は、一端部７に装着された状態において、ヘッド３及び保持部材８を覆っている。
【００３４】
図１〜図３には、保持部材８が一端部７から脱抜され、ヘッド３が一端部７から離間され、カバー４が一端部７から脱抜された化粧品用チューブ容器１が示されている。図４には、ヘッド３が一端部７に支持され、保持部材８が一端部７に装着され、カバー４が一端部７に装着された化粧品用チューブ容器１が示されている。
【００３５】
［容器本体］
【００３６】
図１〜図４に示されるように、容器本体２は、収容部５を備えている。収容部５は、軸方向１０１、１０２（長手方向の一例、図３参照）に延びた円筒形状である。軸方向１０１、１０２は、互いに反対方向である。なお、収容部５は、円筒形状に限らず、例えば中空の四角柱形状であってもよい。
【００３７】
収容部５は、一端部７と、他端部５２と、胴部５３とで構成されている。一端部７は、収容部５の軸方向１０１の端部である。他端部５２は、収容部５の軸方向１０２の端部である。胴部５３は、一端部７及び他端部５２の間の部分である。胴部５３及び他端部５２は、可撓性を有する。一方、一端部７は、収容部５よりも厚く構成されており、可撓性を有さない。
【００３８】
なお、本実施形態において、胴部５３と他端部５２とは、一体成形されている。一方、一端部７は、胴部５３及び他端部５２とは別部材である。しかし、収容部５は、前述のような構成に限らない。例えば、一端部７も、胴部５３及び他端部５２と一体成形されていてもよい。
【００３９】
胴部５３及び他端部５２の内部空間５１は、内周面５Ａによって区画されている。他端部５２は、内部空間５１に化粧品が収容される前には開放されているが、内部空間５１に化粧品が充填された後に、その内周面５Ａ同士が熱溶着される。これにより、図６に示されるように、他端部５２は、封止される。なお、他端部５２は、熱溶着以外の手段、例えば接着や嵌合などによって封止されてもよいし、他部材によって蓋をされることによって封止されてもよい。
【００４０】
一端部７は、胴部５３の軸方向１０１の端部に嵌合されている。これにより、一端部７は、胴部５３の軸方向１０１の端部と連続して設けられている。
【００４１】
一端部７は、概ね中空の円柱形状である。一端部７は、胴部５３の軸方向１０１の端と連続した円筒形状の筒状部７１と、筒状部７１の軸方向１０１の端に設けられた平板部７２とを備えている。
【００４２】
一端部７の内部空間７３は、筒状部７１の内周面７１Ａと、平板部７２の内面７２Ａとによって区画されている。筒状部７１の軸方向１０２の端部は開放されている。これにより、内部空間７３は、内部空間５１と連通されている。内部空間５１、７３は、収容室の一例である。
【００４３】
平板部７２の外面７２Ｂ（支持面の一例）の径方向の中心部には、軸方向１０１に突出した突出部７４が形成されている。ここで、外面７２Ｂは、軸方向１０１、１０２に沿う法線により規定される面である。つまり、外面７２Ｂは、軸方向１０１、１０２と直交する面である。また、平板部７２の外面７２Ｂの径方向の中心部には、開口７５が形成されている。開口７５は、平板部７２から突出部７４に亘って形成されている。換言すると、開口７５は、平板部７２及び突出部７４を貫通する貫通孔を構成している。これにより、開口７５は、内部空間７３と一端部７の外部とを連通させている。また、開口７５は、内部空間７３を介して内部空間５１と繋がっている。
【００４４】
筒状部７１の外周面７１Ｂに、第１雄ネジ７６と第２雄ネジ７７（ネジの一例）とが形成されている。第１雄ネジ７６は、第２雄ネジ７７よりも胴部５３に近い位置に形成されている。換言すると、第２雄ネジ７７は、第１雄ネジ７６よりも平板部７２に近い位置に形成されている。
【００４５】
筒状部７１において、第１雄ネジ７６が形成されている部分の直径は、第２雄ネジ７７が形成されている部分の直径よりも大きい。
【００４６】
［ヘッド］
【００４７】
図１〜図３に示されるヘッド３は、多孔質構造を有する樹脂である。また、ヘッド３は、柔らかい。例えば、ヘッド３は、ＮＢＲ（Ｎｉｔｒｉｌｅ  ｂｕｔａｄｉｅｎｅ  ｒｕｂｂｅｒ）系のスポンジや、ＳＢＲ（Ｓｔｙｒｅｎｅ−ｂｕｔａｄｉｅｎｅ  ｒｕｂｂｅｒ）系のスポンジである。
【００４８】
ヘッド３は、概ね円柱形状であり、軸周りに形成された周面３１と、上面３２及び下面３３とを有する。ヘッド３の周面３１は、第１周面３１Ａ、第２周面３１Ｂ、及び第３周面３１Ｃで構成されている。ここで、ヘッド３の中心軸は、軸方向１０１、１０２に沿っている。上面３２は、周面３１の軸方向１０１の端と連続している。下面３３は、周面３２の軸方向１０２の端と連続している。なお、ヘッド３の外面（周面３１、上面３２、下面３３）には、多孔質構造であることに伴って多数の孔が形成されているが、凹凸はない。
【００４９】
ヘッド３は、フランジ部３４を備えている。フランジ部３４は、周面３１の一部である第１周面３１Ａから軸方向１０１、１０２と直交する径方向に延設されている。フランジ部３４は、ヘッド３における軸方向１０２の端部に形成されている。フランジ部３４の外面は、第１周面３１Ａと連続した第２周面３１Ｂと、第２周面３１Ｂの延設先端と連続した第３周面３１Ｃとを備えている。
【００５０】
ヘッド３に、貫通孔３５が形成されている。貫通孔３５は、上面３２の中央部から下面３３の中央部に亘って軸方向１０１、１０２に沿って穿たれている。貫通孔３５の内径は、容器本体２の一端部７の突出部７４の外径と略同一である。
【００５１】
ヘッド３は、容器本体２の一端部７の平板部７２の外面７２Ｂによって担持される。このとき、一端部７に形成された突出部７４が、ヘッド３に形成された貫通孔３５に挿入される。これにより、ヘッド３は、平板部７２の外面７２Ｂに載置された状態において位置決めされる。また、これにより、貫通孔３５は、突出部７４に形成された開口７５を通じて、内部空間７３と連通される。
【００５２】
なお、貫通孔３５の内径は、突出部７４の外径よりも大きくてもよい。また、本実施形態のように、ヘッド３が柔らかい素材で構成されている場合、貫通孔３５の内径は、突出部７４の外径よりも若干小さくてもよい。
【００５３】
［保持部材］
【００５４】
図１及び図２に示されるように、保持部材８は、概ねリング形状である。図１〜図４に示されるように、保持部材８は、リング形状の本体部８１と、本体部８１の軸方向１０１の端から軸方向１０１に対して本体部８１を縮径する方向に傾斜しつつ延びている縮径部８２とを備えている。
【００５５】
本体部８１の内面に、雌ネジ８３が形成されている。雌ネジ８３と容器本体２の一端部７の第２雄ネジ７７とが螺合することによって、保持部材８が一端部７に装着される（図４参照）。つまり、保持部材８は、一端部７と着脱自在に螺合する。
【００５６】
図３に示されるように、縮径部８２における最も大きい直径Ｄ１は、ヘッド３の第３周面３１Ｃで構成される円柱の直径よりも大きい。縮径部８２における最も小さい直径Ｄ２は、ヘッド３の第３周面３１Ｃで構成される円柱の直径よりも小さく、且つヘッド３の第１周面３１Ａで構成される円柱の直径よりも小さい。これにより、保持部材８の縮径部８２の内面８２Ａは、保持部材８が一端部７に装着された状態において、一端部７の外面７２Ｂに支持されたヘッド３のフランジ部３４の第２周面３１Ｂに対して、軸方向１０２に当接する。その結果、フランジ部３４は、外面７２Ｂと保持部材８とによって挟持される。
【００５７】
このように、保持部材８が一端部７に螺合されることにより、ヘッド３が保持部材８から露出するので、ヘッド３及び一端部７の見栄えも良い。
【００５８】
［カバー］
【００５９】
図１〜図４に示されるように、カバー４は、円板部４１と、筒状部４２と、凸部４３とを備えている。
【００６０】
筒状部４２は、円板部４１の軸方向１０２を向いた面４１Ａの周縁部から軸方向１０２に延びている。筒状部４２の内周面４２Ａの軸方向１０２の端部に、雌ネジ４４が形成されている。雌ネジ４４と容器本体２の一端部７の第１雄ネジ７６とが螺合することによって、カバー４が一端部７に装着される（図４参照）。つまり、カバー４は、一端部７と着脱自在に螺合する。
【００６１】
凸部４３は、面４１Ａの中心部から軸方向１０２に延びており、円柱形状である。凸部４３の軸方向１０２の長さは、筒状部４２の軸方向１０２の長さよりも短い。凸部４３の直径は、貫通孔３５の直径と略同一である。図４に示されるように、カバー４が一端部７に装着された状態において、凸部４３は、ヘッド３の貫通孔３５に挿入されている。
【００６２】
［ヘッド、保持部材、及びカバーの装着及び脱抜］
【００６３】
図４に示されるように、化粧品用チューブ容器１の非使用時において、ヘッド３は、一端部７の外面７２Ｂに担持されている。このとき、一端部７の突出部７４は、ヘッド３の貫通孔３５に挿入されている。
【００６４】
また、保持部材８は、第２雄ネジ７７と雌ネジ８３とが螺合することによって、一端部７に装着されている。これにより、ヘッド３のフランジ部３４が、一端部７の外面７２Ｂと保持部材８の縮径部８２の内面８２Ａとによって挟持される。その結果、ヘッド３は、保持部材８によって、一端部７の外面７２Ｂに担持された状態に保持される。
【００６５】
また、カバー４は、第１雄ネジ７６と雌ネジ４４とが螺合することによって、一端部７に装着されている。これにより、ヘッド３及び保持部材８は、カバー４によって覆われた状態となる。このとき、カバー４の凸部４３は、ヘッド３の貫通孔３５に挿入されている。
【００６６】
図３に示されるように、化粧品用チューブ容器１の使用に際して、カバー４は、第１雄ネジ７６と雌ネジ４４との螺合が解除されることによって、一端部７から脱抜される。その後、収容部５の外周面５Ｂが使用者に押圧されることによって、内部空間５１に収容された化粧品が、内部空間５１から内部空間７３、開口７５、及び貫通孔３５を介して、ヘッド３に浸透される。そして、化粧品は、ヘッド３から染み出される。
【００６７】
図３に示されるように、ヘッド３の洗浄に際して、保持部材８が、第２雄ネジ７７と雌ネジ８３との螺合が解除されることによって、一端部７から脱抜される。次に、ヘッド３が、突出部７４が貫通孔３５から抜かれることによって、一端部７から脱抜される。一端部７から脱抜されたヘッド３は、単独で洗浄可能である。
【００６８】
［実施形態の効果］
【００６９】
この実施形態によれば、内部空間５１、７３に収容された化粧品は、開口７５及び貫通孔３５を通じて吐出される。このとき、ヘッド３がユーザなどの肌に沿って移動されることによって、吐出された化粧品がヘッド３の外面に拡がりつつ、当該外面から肌に付着される。これにより、ヘッド３の少しの移動のみによって、化粧品を広範囲に肌に付着させることができる。
【００７０】
また、この実施形態によれば、保持部材８が容器本体２から取り外されることにより、一端部７に支持されたヘッド３を一端部７から取り外すことができる。これにより、ヘッド３を単体で洗浄することができる。その結果、容器本体２の内部空間５１、７３への洗浄液の浸入を防止することができる。
【００７１】
また、この実施形態によれば、ヘッド３のフランジ部３４が外面７２Ｂと保持部材８とによって挟持されることにより、保持部材８は、ヘッド３が一端部７に支持された状態を保持することができる。
【００７２】
また、この実施形態によれば、開口７５が形成された突出部７４が貫通孔３５に挿入されている。そのため、内部空間５１、７３に収容された化粧品は、ヘッド３の外面に容易に吐出可能である。
【００７３】
また、この実施形態によれば、カバー４を容器本体２に装着することにより、化粧品が付着したヘッド３の外部との接触を防止することができる。
【００７４】
また、この実施形態によれば、カバー４を容器本体２に装着するに際して、凸部４３を貫通孔３５に挿入させることにより、カバー４が容器本体２に対してずれることなくカバー４を容器本体２に円滑に装着することができる。また、内部空間５１、７３に収容された化粧品が貫通孔３５を介して漏れ出ることを防止することができる。
【００７５】
［変形例］
【００７６】
上記の実施形態において、保持部材８はリング形状であったが、保持部材８はリング形状に限らない。例えば、保持部材８は、縮径部８２の代わりに、本体部８１から周方向に間隔を空けて複数配置された係合部（不図示）を備えていてもよい。各係合部は、本体部８１から軸方向１０１に突出している。また、各係合部の先端部は屈曲している。この屈曲した先端部がヘッド３に対して係合する。
【００７７】
上記の実施形態において、ヘッド３は、概ね円柱形状であったが、円柱形状に限らない。例えば、ヘッド３は、図５に示されるような概ね円錐台形状であってもよい。この場合、保持部材８（詳細には、縮径部８２の内面８２Ａ）は、保持部材８が一端部７に装着された状態において、ヘッド３の側面（傾斜面３６または湾曲面３７）と当接する。
【００７８】
上記の実施形態において、一端部７の外面７２Ｂの中心部には、突出部７４が形成されていたが、突出部７４が形成されていなくてもよい。この場合、ヘッド３の位置決めは、保持部材８によって行われる。
【００７９】
上記の実施形態において、ヘッド３の外面（周面３１、上面３２、下面３３）には、多数の孔が形成されている一方で凹凸はなかった。しかし、ヘッド３の外面に、凹凸が形成されていてもよい。つまり、ヘッド３の外面に多数の孔及び凹凸が形成されていてもよい。或いは、ヘッド３の外面に多数の孔が形成されていない一方で凹凸が形成されていてもよい。
【００８０】
ヘッド３の外面に凹凸が形成されていることによって、ヘッド３をユーザなどの肌に沿って移動させる際に、凹凸によって角質を削り取ることができる。
【００８１】
また、ヘッド３の外面が平滑面であってもよい。つまり、ヘッド３の外面に、多数の孔及び凹凸の何れも形成されていなくてもよい。
【００８２】
ヘッド３の外面が平滑面である場合、吐出された化粧品が平滑面に沿って移動し易い。これにより、化粧品がヘッド３の外面の全域に行き渡り易い。その結果、化粧品をヘッド３の外面の広範囲に亘って付着させることができる。
【００８３】
上記の実施形態において、ヘッド３は、多孔質構造を有し且つ柔らかいものであった。しかし、ヘッド３は、多孔質構造を有していなくてもよいし、固いものであってもよい。
【００８４】
例えば、多孔質構造を有さず且つ固いヘッド３として、ＰＰ（ポリプロピレン）やＰＥＴ（ポリエチレンテレフタラート）などの樹脂で構成されたものが挙げられる。また、ヘッド３がこれらの樹脂で構成されている場合、ヘッド３の外面を平滑面とすることができる。もちろん、ヘッド３がこれらの樹脂で構成されている場合に、ヘッド３の外面に凹凸が形成されていてもよい。
【００８５】
また、例えば、多孔質構造を有し且つ固いヘッド３として、軽石が挙げられる。ヘッド３が軽石で構成されている場合、ヘッド３の外面には凹凸が形成されている。
【００８６】
軽石は、表面に凹凸が形成されており且つ固い。そのため、ヘッド３をユーザなどの肌に沿って移動させる際に、角質を容易に削り取ることができる。
【符号の説明】
【００８７】
１・・・化粧品用チューブ容器
２・・・容器本体
３・・・ヘッド
４・・・カバー
５・・・収容部
７・・・一端部
８・・・保持部材
３１・・・周面
３２・・・上面
３３・・・下面
３４・・・フランジ部
３５・・・貫通孔
３６・・・傾斜面
３７・・・湾曲面
４１・・・円板部
４２・・・筒状部
４３・・・凸部
４４・・・雌ネジ
５１・・・内部空間
５２・・・他端部
５３・・・胴部
７１・・・筒状部
７２・・・平板部
７３・・・内部空間
７４・・・突出部
７５・・・開口
７６・・・第１雄ネジ
７７・・・第２雄ネジ
８１・・・本体部
８２・・・縮径部
８３・・・雌ネジ
１０１・・・軸方向
１０２・・・軸方向
【図１】
2017000401.tif 000003
【図２】
2017000401.tif 000004
【図３】
2017000401.tif 000005
【図４】
2017000401.tif 000006
【図５】
2017000401.tif 000007
【図６】
2017000401.tif 000008
【手続補正書】
【提出日】平成28年7月22日(2016.7.22)
【手続補正１】
【補正対象書類名】特許請求の範囲
【補正対象項目名】全文
【補正方法】変更
【補正の内容】
【特許請求の範囲】
【請求項１】
内部に収容室が区画された収容部を有し、当該収容部の長手方向の一端部に、当該収容室と連通する開口が形成された容器本体と、
上記一端部に支持されるヘッドと、
上記容器本体に対して着脱自在であり、上記容器本体に装着された状態において上記ヘッドが上記一端部に支持された状態を保持する保持部材と、
上記ヘッド及び上記保持部材を覆うように上記容器本体に対して着脱可能なカバーと、を備え、
上記ヘッドは、上記長手方向に沿っており且つ上記一端部に支持された状態において上記収容室と連通する貫通孔を有し、
上記カバーは、上記容器本体に装着された状態において、上記貫通孔に挿入される凸部を有し、
上記凸部が上記貫通孔に挿入された状態において、上記凸部と上記貫通孔を区画する内周面との間には、隙間が形成されている化粧品用チューブ容器。
【請求項２】
上記一端部は、上記長手方向に突設され、上記開口が形成された突出部を有しており、
上記突出部は、上記ヘッドが上記一端部に支持された状態において、上記貫通孔に挿入されており、
上記凸部の外径と上記開口の内径とは、略同一であり、
上記貫通孔に挿入された凸部は、上記貫通孔に挿入された上記突出部の上記開口に挿入される請求項１に記載の化粧品用チューブ容器。
【請求項３】
上記一端部は、上記長手方向に沿う法線により規定される支持面を有し、
上記ヘッドは、上記支持面に担持されており、
上記保持部材は、上記一端部に螺合されており、
上記ヘッドは、上記支持面と上記保持部材とによって挟持される請求項１または２に記載の化粧品用チューブ容器。
【請求項４】
上記ヘッドは、フランジ部を有しており、
上記フランジ部は、上記支持面と上記保持部材とによって挟持される請求項３に記載の化粧品用チューブ容器。
【請求項５】
上記ヘッドの外面に凹凸が形成されている請求項１から４のいずれかに記載の化粧品用チューブ容器。
【請求項６】
上記ヘッドは、多孔質構造を有する請求項１から５のいずれかに記載の化粧品用チューブ容器。
【請求項７】
上記ヘッドの外面は、平滑面である請求項１から４のいずれかに記載の化粧品用チューブ容器。
【請求項８】
上記ヘッドは、樹脂である請求項１から７のいずれかに記載の化粧品用チューブ容器。
【請求項９】
上記ヘッドは、軽石である請求項６に記載の化粧品用チューブ容器。
【手続補正２】
【補正対象書類名】明細書
【補正対象項目名】全文
【補正方法】変更
【補正の内容】
【発明の詳細な説明】
【技術分野】
【０００１】
本発明は、液状またはゲル状の化粧品が収容される化粧品用チューブ容器に関する。
【背景技術】
【０００２】
液状またはゲル糊状の化粧品は、一般に軟質のチューブ容器に収容される。化粧品が収容されるチューブ容器は、特許文献１の図６に開示されているように、スポンジヘッドを備えたキャップがチューブ本体に一体に取り付けられた構造を有するものがある。すなわち、チューブ本体にキャップが一体的に設けられている。チューブ容器が両側から挟み込まれることによって、チューブ容器内の化粧品がキャップから絞り出されてスポンジヘッドから染み出す。スポンジヘッドがユーザの肌に触れることによって、化粧品がユーザの肌に付着する。
【先行技術文献】
【特許文献】
【０００３】
【特許文献１】特開２００８−８００８６号公報
【発明の概要】
【発明が解決しようとする課題】
【０００４】
ところで、化粧品の付加価値の向上のため、化粧品用のチューブ容器の外観はデザイン的に優れたものでなければならず、そのために、チューブ容器の多くは、専用設計がなされており、前述のようにチューブ本体及びキャップは、特別の形状で一体的に形成される。
【０００５】
前述のように、スポンジヘッドは、ユーザの肌に直接触れるものであるため、スポンジヘッドを洗浄したいという要請がある。しかしながら、従来のキャップでは、見栄え重視の設計であるため、スポンジヘッドはチューブ本体に一体に取り付けられている。したがって、スポンジヘッドを洗浄しようとすれば、洗浄液がスポンジヘッドを介してチューブ本体に浸入してしまうおそれがあり、事実上、洗浄は困難であった。
【０００６】
この発明は、かかる背景のもとになされたものであって、その目的は、洗浄液を容器内部へ浸入させることなくユーザなどの肌に触れる部分の洗浄が可能な化粧品用チューブ容器を提供することである。
【課題を解決するための手段】
【０００７】
(1) 本発明に係る化粧品用チューブ容器は、内部に収容室が区画された収容部を有し、当該収容部の長手方向の一端部に、当該収容室と連通する開口が形成された容器本体と、上記一端部に支持されるヘッドと、上記容器本体に対して着脱自在であり、上記容器本体に装着された状態において上記ヘッドが上記一端部に支持された状態を保持する保持部材と、上記ヘッド及び上記保持部材を覆うように上記容器本体に対して着脱可能なカバーと、を備える。上記ヘッドは、上記長手方向に沿っており且つ上記一端部に支持された状態において上記収容室と連通する貫通孔を有する。上記カバーは、上記容器本体に装着された状態において、上記貫通孔に挿入される凸部を有する。上記凸部が上記貫通孔に挿入された状態において、上記凸部と上記貫通孔を区画する内周面との間には、隙間が形成されている。
【０００８】
本構成によれば、収容室に収容された化粧品は、開口及び貫通孔を通じて吐出される。このとき、ヘッドがユーザなどの肌に沿って移動されることによって、吐出された化粧品がヘッドの外面に拡がりつつ、当該外面から肌に付着される。これにより、ヘッドの少しの移動のみによって、化粧品を広範囲に肌に付着させることができる。
【０００９】
本構成によれば、保持部材が容器本体から取り外されることにより、一端部に支持されたヘッドを一端部から取り外すことができる。これにより、ヘッドを単体で洗浄することができる。その結果、容器本体の収容室への洗浄液の浸入を防止することができる。
【００１０】
本構成によれば、カバーを容器本体に装着することにより、化粧品が付着したヘッドの外部との接触を防止することができる。
【００１１】
本構成によれば、カバーを容器本体に装着するに際して、凸部を貫通孔に挿入させることにより、カバーが容器本体に対してずれることなくカバーを容器本体に円滑に装着することができる。また、収容室に収容された化粧品が貫通孔を介して漏れ出ることを防止することができる。
【００１２】
(2) 上記一端部は、上記長手方向に突設され、上記開口が形成された突出部を有している。上記突出部は、上記ヘッドが上記一端部に支持された状態において、上記貫通孔に挿入されている。上記凸部の外径と上記開口の内径とは、略同一である。上記貫通孔に挿入された凸部は、上記貫通孔に挿入された上記突出部の上記開口に挿入される。
【００１３】
本構成によれば、開口が形成された突出部が貫通孔に挿入されている。そのため、収容室に収容された化粧品は、ヘッドの外面に容易に吐出可能である。
【００１４】
(3) 上記一端部は、上記長手方向に沿う法線により規定される支持面を有する。上記ヘッドは、上記支持面に担持されている。上記保持部材は、上記一端部に螺合されている。上記ヘッドは、上記支持面と上記保持部材とによって挟持される。
【００１５】
本構成によれば、ヘッドが支持面と保持部材とによって挟持されることにより、保持部材は、ヘッドが一端部に支持された状態を保持することができる。
【００１６】
(4) 上記ヘッドは、フランジ部を有している。上記フランジ部は、上記支持面と上記保持部材とによって挟持される。
【００１７】
本構成によれば、保持部材は、フランジ部が支持面と保持部材とによって挟持されることによって、ヘッドが一端部に支持された状態を保持することができる。
【００１８】
(5) 上記ヘッドの外面に凹凸が形成されている。
【００１９】
本構成によれば、ヘッドをユーザなどの肌に沿って移動させる際に、凹凸によって角質を削り取ることができる。
【００２０】
(6) 上記ヘッドは、多孔質構造を有していてもよい。
【００２１】
(7) 上記ヘッドの外面は、平滑面である。
【００２２】
本構成によれば、吐出された化粧品が平滑面に沿って移動し易い。これにより、化粧品がヘッドの外面の全域に行き渡り易い。その結果、化粧品をヘッドの外面の広範囲に亘って付着させることができる。
【００２３】
(8) 上記ヘッドは、樹脂であってもよい。
【００２４】
(9) 上記ヘッドは、軽石である。
【００２５】
軽石は、表面に凹凸が形成されており且つ固い。そのため、ヘッドをユーザなどの肌に沿って移動させる際に、角質を容易に削り取ることができる。
【発明の効果】
【００２６】
この発明に係る化粧品用チューブ容器によれば、洗浄液を容器内部へ浸入させることなくユーザの肌に触れる部分の洗浄が可能である。
【図面の簡単な説明】
【００２７】
【図１】図１は、化粧品用チューブ容器１の外観斜視図である。
【図２】図２は、化粧品用チューブ容器１の外観斜視図である。
【図３】図３は、化粧品用チューブ容器１の縦断面図である。
【図４】図４は、化粧品用チューブ容器１の縦断面図である。
【図５】図５は、変形例におけるヘッド３の外観斜視図である。
【図６】図６は、収容部５の軸方向１０２の端が熱溶着された状態の容器本体２の外観斜視図である。
【発明を実施するための形態】
【００２８】
以下、本発明の好ましい実施形態が、適宜図面が参照されながら説明される。なお、本実施の形態は、本発明に係る化粧品用チューブ容器の一態様にすぎず、本発明の要旨を変更しない範囲で実施態様が変更されてもよいことは言うまでもない。
【００２９】
［化粧品用チューブ容器の概要］
【００３０】
図１〜図４に示されるように、化粧品用チューブ容器１は、容器本体２、ヘッド３、保持部材８、及びカバー４を備えている。
【００３１】
容器本体２には、液状またはゲル状の化粧品が収容可能である。容器本体２は、収容部５を備えている。ヘッド３は、収容部５の一端部７によって支持可能である。保持部材８は、一端部７に対して着脱自在である。保持部材８は、一端部７に装着された状態において、ヘッド３が一端部７によって支持された状態を保持する。カバー４は、一端部７に対して着脱自在である。カバー７は、一端部７に装着された状態において、ヘッド３及び保持部材８を覆っている。
【００３２】
図１〜図３には、保持部材８が一端部７から脱抜され、ヘッド３が一端部７から離間され、カバー４が一端部７から脱抜された化粧品用チューブ容器１が示されている。図４には、ヘッド３が一端部７に支持され、保持部材８が一端部７に装着され、カバー４が一端部７に装着された化粧品用チューブ容器１が示されている。
【００３３】
［容器本体］
【００３４】
図１〜図４に示されるように、容器本体２は、収容部５を備えている。収容部５は、軸方向１０１、１０２（長手方向の一例、図３参照）に延びた円筒形状である。軸方向１０１、１０２は、互いに反対方向である。なお、収容部５は、円筒形状に限らず、例えば中空の四角柱形状であってもよい。
【００３５】
収容部５は、一端部７と、他端部５２と、胴部５３とで構成されている。一端部７は、収容部５の軸方向１０１の端部である。他端部５２は、収容部５の軸方向１０２の端部である。胴部５３は、一端部７及び他端部５２の間の部分である。胴部５３及び他端部５２は、可撓性を有する。一方、一端部７は、収容部５よりも厚く構成されており、可撓性を有さない。
【００３６】
なお、本実施形態において、胴部５３と他端部５２とは、一体成形されている。一方、一端部７は、胴部５３及び他端部５２とは別部材である。しかし、収容部５は、前述のような構成に限らない。例えば、一端部７も、胴部５３及び他端部５２と一体成形されていてもよい。
【００３７】
胴部５３及び他端部５２の内部空間５１は、内周面５Ａによって区画されている。他端部５２は、内部空間５１に化粧品が収容される前には開放されているが、内部空間５１に化粧品が充填された後に、その内周面５Ａ同士が熱溶着される。これにより、図６に示されるように、他端部５２は、封止される。なお、他端部５２は、熱溶着以外の手段、例えば接着や嵌合などによって封止されてもよいし、他部材によって蓋をされることによって封止されてもよい。
【００３８】
一端部７は、胴部５３の軸方向１０１の端部に嵌合されている。これにより、一端部７は、胴部５３の軸方向１０１の端部と連続して設けられている。
【００３９】
一端部７は、概ね中空の円柱形状である。一端部７は、胴部５３の軸方向１０１の端と連続した円筒形状の筒状部７１と、筒状部７１の軸方向１０１の端に設けられた平板部７２とを備えている。
【００４０】
一端部７の内部空間７３は、筒状部７１の内周面７１Ａと、平板部７２の内面７２Ａとによって区画されている。筒状部７１の軸方向１０２の端部は開放されている。これにより、内部空間７３は、内部空間５１と連通されている。内部空間５１、７３は、収容室の一例である。
【００４１】
平板部７２の外面７２Ｂ（支持面の一例）の径方向の中心部には、軸方向１０１に突出した突出部７４が形成されている。ここで、外面７２Ｂは、軸方向１０１、１０２に沿う法線により規定される面である。つまり、外面７２Ｂは、軸方向１０１、１０２と直交する面である。また、平板部７２の外面７２Ｂの径方向の中心部には、開口７５が形成されている。開口７５は、平板部７２から突出部７４に亘って形成されている。換言すると、開口７５は、平板部７２及び突出部７４を貫通する貫通孔を構成している。これにより、開口７５は、内部空間７３と一端部７の外部とを連通させている。また、開口７５は、内部空間７３を介して内部空間５１と繋がっている。
【００４２】
筒状部７１の外周面７１Ｂに、第１雄ネジ７６と第２雄ネジ７７（ネジの一例）とが形成されている。第１雄ネジ７６は、第２雄ネジ７７よりも胴部５３に近い位置に形成されている。換言すると、第２雄ネジ７７は、第１雄ネジ７６よりも平板部７２に近い位置に形成されている。
【００４３】
筒状部７１において、第１雄ネジ７６が形成されている部分の直径は、第２雄ネジ７７が形成されている部分の直径よりも大きい。
【００４４】
［ヘッド］
【００４５】
図１〜図３に示されるヘッド３は、多孔質構造を有する樹脂である。また、ヘッド３は、柔らかい。例えば、ヘッド３は、ＮＢＲ（Ｎｉｔｒｉｌｅ  ｂｕｔａｄｉｅｎｅ  ｒｕｂｂｅｒ）系のスポンジや、ＳＢＲ（Ｓｔｙｒｅｎｅ−ｂｕｔａｄｉｅｎｅ  ｒｕｂｂｅｒ）系のスポンジである。
【００４６】
ヘッド３は、概ね円柱形状であり、軸周りに形成された周面３１と、上面３２及び下面３３とを有する。ヘッド３の周面３１は、第１周面３１Ａ、第２周面３１Ｂ、及び第３周面３１Ｃで構成されている。ここで、ヘッド３の中心軸は、軸方向１０１、１０２に沿っている。上面３２は、周面３１の軸方向１０１の端と連続している。下面３３は、周面３２の軸方向１０２の端と連続している。なお、ヘッド３の外面（周面３１、上面３２、下面３３）には、多孔質構造であることに伴って多数の孔が形成されているが、凹凸はない。
【００４７】
ヘッド３は、フランジ部３４を備えている。フランジ部３４は、周面３１の一部である第１周面３１Ａから軸方向１０１、１０２と直交する径方向に延設されている。フランジ部３４は、ヘッド３における軸方向１０２の端部に形成されている。フランジ部３４の外面は、第１周面３１Ａと連続した第２周面３１Ｂと、第２周面３１Ｂの延設先端と連続した第３周面３１Ｃとを備えている。
【００４８】
ヘッド３に、貫通孔３５が形成されている。貫通孔３５は、上面３２の中央部から下面３３の中央部に亘って軸方向１０１、１０２に沿って穿たれている。貫通孔３５の内径は、容器本体２の一端部７の突出部７４の外径と略同一である。
【００４９】
ヘッド３は、容器本体２の一端部７の平板部７２の外面７２Ｂによって担持される。このとき、一端部７に形成された突出部７４が、ヘッド３に形成された貫通孔３５に挿入される。これにより、ヘッド３は、平板部７２の外面７２Ｂに載置された状態において位置決めされる。また、これにより、貫通孔３５は、突出部７４に形成された開口７５を通じて、内部空間７３と連通される。
【００５０】
なお、貫通孔３５の内径は、突出部７４の外径よりも大きくてもよい。また、本実施形態のように、ヘッド３が柔らかい素材で構成されている場合、貫通孔３５の内径は、突出部７４の外径よりも若干小さくてもよい。
【００５１】
［保持部材］
【００５２】
図１及び図２に示されるように、保持部材８は、概ねリング形状である。図１〜図４に示されるように、保持部材８は、リング形状の本体部８１と、本体部８１の軸方向１０１の端から軸方向１０１に対して本体部８１を縮径する方向に傾斜しつつ延びている縮径部８２とを備えている。
【００５３】
本体部８１の内面に、雌ネジ８３が形成されている。雌ネジ８３と容器本体２の一端部７の第２雄ネジ７７とが螺合することによって、保持部材８が一端部７に装着される（図４参照）。つまり、保持部材８は、一端部７と着脱自在に螺合する。
【００５４】
図３に示されるように、縮径部８２における最も大きい直径Ｄ１は、ヘッド３の第３周面３１Ｃで構成される円柱の直径よりも大きい。縮径部８２における最も小さい直径Ｄ２は、ヘッド３の第３周面３１Ｃで構成される円柱の直径よりも小さく、且つヘッド３の第１周面３１Ａで構成される円柱の直径よりも小さい。これにより、保持部材８の縮径部８２の内面８２Ａは、保持部材８が一端部７に装着された状態において、一端部７の外面７２Ｂに支持されたヘッド３のフランジ部３４の第２周面３１Ｂに対して、軸方向１０２に当接する。その結果、フランジ部３４は、外面７２Ｂと保持部材８とによって挟持される。
【００５５】
このように、保持部材８が一端部７に螺合されることにより、ヘッド３が保持部材８から露出するので、ヘッド３及び一端部７の見栄えも良い。
【００５６】
［カバー］
【００５７】
図１〜図４に示されるように、カバー４は、円板部４１と、筒状部４２と、凸部４３とを備えている。
【００５８】
筒状部４２は、円板部４１の軸方向１０２を向いた面４１Ａの周縁部から軸方向１０２に延びている。筒状部４２の内周面４２Ａの軸方向１０２の端部に、雌ネジ４４が形成されている。雌ネジ４４と容器本体２の一端部７の第１雄ネジ７６とが螺合することによって、カバー４が一端部７に装着される（図４参照）。つまり、カバー４は、一端部７と着脱自在に螺合する。
【００５９】
凸部４３は、面４１Ａの中心部から軸方向１０２に延びており、円柱形状である。凸部４３の軸方向１０２の長さは、筒状部４２の軸方向１０２の長さよりも短い。凸部４３の直径は、貫通孔３５の直径と略同一である。図４に示されるように、カバー４が一端部７に装着された状態において、凸部４３は、ヘッド３の貫通孔３５に挿入されている。
【００６０】
［ヘッド、保持部材、及びカバーの装着及び脱抜］
【００６１】
図４に示されるように、化粧品用チューブ容器１の非使用時において、ヘッド３は、一端部７の外面７２Ｂに担持されている。このとき、一端部７の突出部７４は、ヘッド３の貫通孔３５に挿入されている。
【００６２】
また、保持部材８は、第２雄ネジ７７と雌ネジ８３とが螺合することによって、一端部７に装着されている。これにより、ヘッド３のフランジ部３４が、一端部７の外面７２Ｂと保持部材８の縮径部８２の内面８２Ａとによって挟持される。その結果、ヘッド３は、保持部材８によって、一端部７の外面７２Ｂに担持された状態に保持される。
【００６３】
また、カバー４は、第１雄ネジ７６と雌ネジ４４とが螺合することによって、一端部７に装着されている。これにより、ヘッド３及び保持部材８は、カバー４によって覆われた状態となる。このとき、カバー４の凸部４３は、ヘッド３の貫通孔３５に挿入されている。
【００６４】
図３に示されるように、化粧品用チューブ容器１の使用に際して、カバー４は、第１雄ネジ７６と雌ネジ４４との螺合が解除されることによって、一端部７から脱抜される。その後、収容部５の外周面５Ｂが使用者に押圧されることによって、内部空間５１に収容された化粧品が、内部空間５１から内部空間７３、開口７５、及び貫通孔３５を介して、ヘッド３に浸透される。そして、化粧品は、ヘッド３から染み出される。
【００６５】
図３に示されるように、ヘッド３の洗浄に際して、保持部材８が、第２雄ネジ７７と雌ネジ８３との螺合が解除されることによって、一端部７から脱抜される。次に、ヘッド３が、突出部７４が貫通孔３５から抜かれることによって、一端部７から脱抜される。一端部７から脱抜されたヘッド３は、単独で洗浄可能である。
【００６６】
［実施形態の効果］
【００６７】
この実施形態によれば、内部空間５１、７３に収容された化粧品は、開口７５及び貫通孔３５を通じて吐出される。このとき、ヘッド３がユーザなどの肌に沿って移動されることによって、吐出された化粧品がヘッド３の外面に拡がりつつ、当該外面から肌に付着される。これにより、ヘッド３の少しの移動のみによって、化粧品を広範囲に肌に付着させることができる。
【００６８】
また、この実施形態によれば、保持部材８が容器本体２から取り外されることにより、一端部７に支持されたヘッド３を一端部７から取り外すことができる。これにより、ヘッド３を単体で洗浄することができる。その結果、容器本体２の内部空間５１、７３への洗浄液の浸入を防止することができる。
【００６９】
また、この実施形態によれば、ヘッド３のフランジ部３４が外面７２Ｂと保持部材８とによって挟持されることにより、保持部材８は、ヘッド３が一端部７に支持された状態を保持することができる。
【００７０】
また、この実施形態によれば、開口７５が形成された突出部７４が貫通孔３５に挿入されている。そのため、内部空間５１、７３に収容された化粧品は、ヘッド３の外面に容易に吐出可能である。
【００７１】
また、この実施形態によれば、カバー４を容器本体２に装着することにより、化粧品が付着したヘッド３の外部との接触を防止することができる。
【００７２】
また、この実施形態によれば、カバー４を容器本体２に装着するに際して、凸部４３を貫通孔３５に挿入させることにより、カバー４が容器本体２に対してずれることなくカバー４を容器本体２に円滑に装着することができる。また、内部空間５１、７３に収容された化粧品が貫通孔３５を介して漏れ出ることを防止することができる。
【００７３】
［変形例］
【００７４】
上記の実施形態において、保持部材８はリング形状であったが、保持部材８はリング形状に限らない。例えば、保持部材８は、縮径部８２の代わりに、本体部８１から周方向に間隔を空けて複数配置された係合部（不図示）を備えていてもよい。各係合部は、本体部８１から軸方向１０１に突出している。また、各係合部の先端部は屈曲している。この屈曲した先端部がヘッド３に対して係合する。
【００７５】
上記の実施形態において、ヘッド３は、概ね円柱形状であったが、円柱形状に限らない。例えば、ヘッド３は、図５に示されるような概ね円錐台形状であってもよい。この場合、保持部材８（詳細には、縮径部８２の内面８２Ａ）は、保持部材８が一端部７に装着された状態において、ヘッド３の側面（傾斜面３６または湾曲面３７）と当接する。
【００７６】
上記の実施形態において、一端部７の外面７２Ｂの中心部には、突出部７４が形成されていたが、突出部７４が形成されていなくてもよい。この場合、ヘッド３の位置決めは、保持部材８によって行われる。
【００７７】
上記の実施形態において、ヘッド３の外面（周面３１、上面３２、下面３３）には、多数の孔が形成されている一方で凹凸はなかった。しかし、ヘッド３の外面に、凹凸が形成されていてもよい。つまり、ヘッド３の外面に多数の孔及び凹凸が形成されていてもよい。或いは、ヘッド３の外面に多数の孔が形成されていない一方で凹凸が形成されていてもよい。
【００７８】
ヘッド３の外面に凹凸が形成されていることによって、ヘッド３をユーザなどの肌に沿って移動させる際に、凹凸によって角質を削り取ることができる。
【００７９】
また、ヘッド３の外面が平滑面であってもよい。つまり、ヘッド３の外面に、多数の孔及び凹凸の何れも形成されていなくてもよい。
【００８０】
ヘッド３の外面が平滑面である場合、吐出された化粧品が平滑面に沿って移動し易い。これにより、化粧品がヘッド３の外面の全域に行き渡り易い。その結果、化粧品をヘッド３の外面の広範囲に亘って付着させることができる。
【００８１】
上記の実施形態において、ヘッド３は、多孔質構造を有し且つ柔らかいものであった。しかし、ヘッド３は、多孔質構造を有していなくてもよいし、固いものであってもよい。
【００８２】
例えば、多孔質構造を有さず且つ固いヘッド３として、ＰＰ（ポリプロピレン）やＰＥＴ（ポリエチレンテレフタラート）などの樹脂で構成されたものが挙げられる。また、ヘッド３がこれらの樹脂で構成されている場合、ヘッド３の外面を平滑面とすることができる。もちろん、ヘッド３がこれらの樹脂で構成されている場合に、ヘッド３の外面に凹凸が形成されていてもよい。
【００８３】
また、例えば、多孔質構造を有し且つ固いヘッド３として、軽石が挙げられる。ヘッド３が軽石で構成されている場合、ヘッド３の外面には凹凸が形成されている。
【００８４】
軽石は、表面に凹凸が形成されており且つ固い。そのため、ヘッド３をユーザなどの肌に沿って移動させる際に、角質を容易に削り取ることができる。
【符号の説明】
【００８５】
１・・・化粧品用チューブ容器
２・・・容器本体
３・・・ヘッド
４・・・カバー
５・・・収容部
７・・・一端部
８・・・保持部材
３１・・・周面
３２・・・上面
３３・・・下面
３４・・・フランジ部
３５・・・貫通孔
３６・・・傾斜面
３７・・・湾曲面
４１・・・円板部
４２・・・筒状部
４３・・・凸部
４４・・・雌ネジ
５１・・・内部空間
５２・・・他端部
５３・・・胴部
７１・・・筒状部
７２・・・平板部
７３・・・内部空間
７４・・・突出部
７５・・・開口
７６・・・第１雄ネジ
７７・・・第２雄ネジ
８１・・・本体部
８２・・・縮径部
８３・・・雌ネジ
１０１・・・軸方向
１０２・・・軸方向